(57)【要約】【課題】遊技盤に前側から装着する前構造体の遊技盤前面からの浮き上がり等を防止できる弾球遊技機を提供する。【解決手段】装着孔１３ａを有する遊技盤１３と、遊技盤１３の前側から装着孔１３ａに装着される前構造体４０と、前構造体４０に対応して遊技盤１３の裏側に装着される裏構造体４１とを備え、前構造体４０と裏構造体４１とは遊技盤１３を前後に挟み込むように装着され、前構造体４０と裏構造体４１とを固定する固定手段４３を設けたものである。【選択図】図５
2006297154.tif 000002
【特許請求の範囲】
【請求項１】
装着孔（１３ａ）を有する遊技盤（１３）と、該遊技盤（１３）の前側から前記装着孔（１３ａ）に装着される前構造体（４０）とを備えた弾球遊技機において、前記前構造体（４０）に対応して前記遊技盤（１３）の裏側に装着される裏構造体（４１）を備え、前記前構造体（４０）と前記裏構造体（４１）とは前記遊技盤（１３）を前後に挟み込むように装着され、前記前構造体（４０）と前記裏構造体（４１）とを固定する固定手段（４３）を設けたことを特徴とする弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機、アレンジボール機等の弾球遊技機においては、遊技盤にガイドレールを装着し、このガイドレールの内側の遊技領域に液晶式表示手段、入賞手段等の各種の遊技部品を配置している。各遊技部品の遊技盤への装着形態としては、遊技部品側に設けた圧入ピン等の圧入固定手段によって遊技盤の装着孔に圧入固定する形態が一般化しており、遊技部品の中でも比較的大型の液晶式表示手段についても、圧入固定手段を用いた装着形態を用いた例が多くなっている。
【０００３】
但し、液晶式表示手段の場合には、その裏側に重量のある液晶表示ユニットを搭載する必要があることから、例えば前飾り板等を備えた前構造体と液晶表示ユニットを備えた裏構造体とで構成すると共に、前構造体を遊技盤の前側から圧入固定手段により固定し、裏構造体は前構造体とは別に遊技盤の裏側にネジ等で固定するようにしている。
【０００４】
ここで、前構造体を固定する圧入固定手段は、例えば前構造体の左右両端部に夫々設けられており、前構造体はその圧入固定手段が設けられた左右両端部において遊技盤に固定されるようになっている。
【発明の開示】
【発明が解決しようとする課題】
【０００５】
従来の弾球遊技機では、液晶式表示手段の前構造体が例えばその左右両端部において遊技盤に圧入固定されており、左右方向中央部分には遊技盤に固定するための処置が何ら施されていないため、長期の使用等に伴って前構造体にそりなどの変形が発生し、圧入固定位置から離れた左右方向中央部分等において前飾り板が遊技盤から浮き上がるなどの不具合が発生する可能性があった。
【０００６】
前飾り板が遊技盤から浮き上がると、遊技盤上を落下する遊技球の障害となり、ゲームの進行に悪影響を与えることが懸念される。特に、例えば上側や横側の入球口に入球した遊技球を下部の案内ステージから前側に落下させて所定の入賞口等に入賞させるようになっている液晶式表示手段の場合には、案内ステージが遊技盤から浮き上がると、遊技球の落下経路が変化し、入賞口への入賞が困難になるなど、遊技者に不利な状態が発生してしまう。
【０００７】
本発明は、このような問題点に鑑み、遊技盤に前側から装着する前構造体の遊技盤前面からの浮き上がり等を防止できる弾球遊技機を提供することを目的とする。
【課題を解決するための手段】
【０００８】
本発明は、装着孔１３ａを有する遊技盤１３と、該遊技盤１３の前側から前記装着孔１３ａに装着される前構造体４０とを備えた弾球遊技機において、前記前構造体４０に対応して前記遊技盤１３の裏側に装着される裏構造体４１を備え、前記前構造体４０と前記裏構造体４１とは前記遊技盤１３を前後に挟み込むように装着され、前記前構造体４０と前記裏構造体４１とを固定する固定手段４３を設けたものである。
【発明の効果】
【０００９】
本発明によれば、装着孔１３ａを有する遊技盤１３と、該遊技盤１３の前側から装着孔１３ａに装着される前構造体４０とを備えた弾球遊技機において、前構造体４０に対応して遊技盤１３の裏側に装着される裏構造体４１を備え、前構造体４０と裏構造体４１とは遊技盤１３を前後に挟み込むように装着され、前構造体４０と裏構造体４１とを固定する固定手段４３を設けているため、遊技盤１３に前側から装着する前構造体４０の遊技盤１３前面からの浮き上がり等を防止できる。
【発明を実施するための最良の形態】
【００１０】
以下、本発明の実施形態を図面に基づいて詳述する。図１〜図１２は本発明をパチンコ機として具現化した第１の実施形態を例示している。１は遊技機本体で、矩形状の外枠２の前側に、上下一対のヒンジ４を介して前枠３が開閉自在に枢着されている。５はガラス扉、６は前面開閉板で、これらは前枠３の窓孔７に対応して上下に配置され、前枠３に開閉自在に枢支されている。
【００１１】
８は発射用の遊技球を貯留する上皿で、前面開閉板６の前側に装着され、上皿カバー９により覆われている。また、１０は余剰球等を貯留する下皿、１１は灰皿で、これらは前面開閉板６の下側で前枠３の前側に左右に配置され、下皿カバー１２により覆われている。１３は遊技盤で、前枠３の窓孔７に対応するように、前枠３の裏側に設けられる図外の遊技盤装着枠に裏側から着脱自在に装着され、窓孔７の下部側で前枠３の裏側に装着された図外の支持板により下側から支持されている。
【００１２】
１６は発射手段で、下皿１０の一側で前枠３の前側に装着された発射ハンドル１７と、支持板の前側に装着された発射レール１８と、前枠３の裏側に配置された発射モータ１９及び打撃槌２０等を備え、発射ハンドル１７を操作したときに、発射モータ１９により打撃槌２０が作動して、前面開閉板６の裏側に装着された図外の球送り手段により発射レール１８上に１個ずつ供給される遊技球を遊技盤１３側に発射させるようになっている。
【００１３】
遊技盤１３は、図２に示すようにベニヤ板等を略正方形状に切断したものであって、その前側には、発射手段１６により発射された遊技球を案内するガイドレール２１が環状に装着されると共に、そのガイドレール２１の内側の遊技領域２２に、液晶式表示手段２３、特別図柄始動手段２４、大入賞手段２５、普通図柄始動手段２６、普通入賞手段２７等の各遊技部品が配置され、また大入賞手段２５の下方にアウト口２８が設けられている。液晶式表示手段２３は、普通図柄表示手段３１と特別図柄表示手段３２とを兼用している。
【００１４】
普通図柄表示手段３１は、１個又は複数個、例えば１個の普通図柄を変動表示可能であり、普通図柄始動手段２６が遊技球を検出することを条件に、その普通図柄が乱数制御等により所定時間変動して停止するようになっている。普通図柄は、上下方向又は左右方向のスクロール等によって変動し、所定態様又は非所定態様で停止する。なお、普通図柄には、数字図柄、アルファベット図柄、キャラクター図柄、その他の適宜遊技図柄を使用可能であり、この実施形態では、「０」〜「９」までの数字図柄が用いられている。
【００１５】
特別図柄始動手段２４は、開閉自在な左右一対の開閉爪３４を備えた可変作動式の電動式チューリップ等により構成され、普通図柄表示手段３１の変動後の普通図柄が所定態様となった場合に開閉爪３４が所定時間開放するようになっている。
【００１６】
特別図柄表示手段３２は、１個又は複数個、例えば左右方向に３個の特別図柄を変動表示可能であり、特別図柄始動手段２４が遊技球を検出することを条件に乱数制御により所定時間変動して、例えば左、右、中等の所定の順序で停止するようになっている。特別図柄は、変動時には上下方向又は左右方向にスクロールする等、所定の変動パターンで変動して、その変動後に各特別図柄が同種図柄となる特定態様、又は特別図柄の少なくとも１つが異なる図柄となる非特定態様で停止する。なお、特別図柄には、数字図柄、アルファベット図柄、キャラクター図柄、その他の適宜遊技図柄を使用可能であり、この実施形態では、「０」〜「９」までの数字図柄が用いられている。
【００１７】
大入賞手段２５は、下部側の横軸心廻りに開閉する開閉板３５を備えた可変作動式であって、特別図柄表示手段３２の変動後の特別図柄が特定態様となることに基づいて特別利益状態が発生したときに、開閉板３５が前側に所定時間開放して、その上に落下した遊技球を内部へと入賞させるようになっている。また大入賞手段２５は、その内部側が２又は３個等の複数個の通路に分割され、その一部の通路が特定領域３６となっている。そして、遊技球が特定領域３６を通過することを条件に、特別利益状態を継続させるようになっている。
【００１８】
なお、大入賞手段２５は、開放から所定時間（例えば３０秒間）が経過するか、所定時間内に所定数（例えば１０個）の遊技球が入賞することを条件に開閉板３５を閉じ、遊技球が特定領域３６を通過することを条件に、最大所定回数（例えば１６回）まで開閉動作を繰り返すようになっている。
【００１９】
続いて、液晶式表示手段２３の構成について更に詳しく説明する。液晶式表示手段２３は、図３〜図１１に示すように、遊技盤１３の装着孔１３ａに前側から圧入により着脱自在に装着される前構造体４０と、この前構造体４０に対応して遊技盤１３の裏側にネジ等により着脱自在に装着される裏構造体４１と、この裏構造体４１の後側に着脱自在に装着される液晶表示ユニット４２とを備えている。前構造体４０と裏構造体４１とは、固定手段４３により互いに固定されている。
【００２０】
前構造体４０は、中央よりも下部側に若干変位した位置に略矩形状の開口窓４４が形成された本体部４５と、本体部４５の前側に装着された廂部４６と、本体部４５の後側に装着された後部枠体４７と、前構造体４０を遊技盤１３の装着孔１３ａに固定するための圧入固定手段４８とを備えている。
【００２１】
本体部４５は、開口窓４４の前縁側から外向きに鍔状に張り出し且つ遊技盤１３の前側に当接する前飾り板５１と、開口窓４４の一側、例えば左側に沿って略上下方向に設けられた球案内通路５２と、開口窓４４の下側に沿って左右方向に設けられる球案内ステージ（遊技球案内手段）５３とを一体に備えている。
【００２２】
前飾り板５１の裏面側には、遊技盤１３の前面側に設けられた位置決め孔１３ｂに対応する位置決め突起５１ａが複数設けられている。
【００２３】
球案内通路５２は、廂部４６側の後述する入口５４に入球した遊技球を下向きに案内するようになっている。球案内ステージ５３は、左右方向中央部分が山部５５、その左右両側が谷部５６となった滑らかな波形状に形成されており、球案内通路５２側から案内された遊技球を左右に往復移動させつつ減速させた後、前側に案内して遊技盤１３の前側の下部側に落下させるようになっている。
【００２４】
谷部５６には、前下がりの傾斜部５７が形成されており、谷部５６で失速した遊技球は、この傾斜部５７によって前側に案内される。また、山部５５の頂上部分には、その前側に遊技球が落下可能で且つ前向きに開口する凹部５８が、その後側に遊技球を前向き、即ち凹部５８側に案内する案内溝５９が設けられており、山部５５の頂上付近で失速した遊技球は案内溝５９、凹部５８を介して前向きに案内される。なお、凹部５８は、特別図柄始動手段２４の真上に位置しており、凹部５８を介して遊技盤１３の前側に落下した遊技球は極めて高い確率で特別図柄始動手段２４に入賞するようになっている。
【００２５】
また、球案内ステージ５３の前縁側には、谷部５６の傾斜部５７と山部５５の凹部５８とを除く部分に、上向きに起立する起立板６０が一体に設けられており、凹部５８及び傾斜部５７以外の部分から遊技球が前側に落下しないようになっている。
【００２６】
本体部４５の開口窓４４の上側から左右両側にかけての部分には、球案内通路５２よりも上側の位置に、遊技盤１３の装着孔１３ａとの間に後述するランプ６１が格納される空間６２が形成されており、その前側に対応して前飾り板５１に開口部６３が形成されている。
【００２７】
廂部４６は、前飾り板５１の前方に突出しており、本体部４５側の開口部６３及び球案内通路５２の上部側を前側から覆うように、開口窓４４の上側から左右両側に跨がって逆Ｕ字状に設けられている。廂部４６の一端側下部には、遊技盤１３に沿って斜め上方から落下する遊技球が入球可能な入口５４と、この入口５４に入球した遊技球を後側の球案内通路５２の上流側に案内する連絡通路６４とが一体に設けられている。
【００２８】
また、廂部４６は、後側のランプ６１からの光を通すように少なくともその一部分が透明に形成されている。なお、廂部４６の前面側には例えばキャラクター等の装飾が施されており、その装飾に対応するように後側のランプ６１が配置されている。
【００２９】
後部枠体４７は、本体部４５の開口窓４４に沿って矩形枠状に形成された発光表示枠６５と、遊技盤１３の装着孔１３ａに対応して発光表示枠６５の前縁側から外側に鍔状に張り出す支持板部６６と、発光表示枠６５の下側に配置される係止手段６７とを備え、本体部４５の開口窓４４の後側に装着されている。
【００３０】
発光表示枠６５は、裏構造体４１側のランプ（発光手段）６８を前側から覆う発光表示部を構成するもので、リブ６９によって開口窓４４の縁部に沿って複数のランプ収容部７０に分割されており、それらランプ収容部７０内に夫々１又は複数のランプ６８が収容されている。発光表示枠６５は、ランプ６８からの光を通し且つ前側からランプ６８が透視できないように、例えば透明の合成樹脂の裏側に凹凸処理等が施されている。
【００３１】
発光表示枠６５の上側の支持板部６６には、その前側に、複数のランプ６１が装着されたランプ基板７１が着脱自在に装着されている。
【００３２】
発光表示枠６５の左右の支持板部６６には、図６及び図８に示すように、その裏側に圧入固定手段４８が着脱自在に装着されている。圧入固定手段４８は、支持板部６６に沿って上下方向に長い板状に形成され且つネジ等によって支持板部６６に固定される固定部７２と、この固定部７２の上下両端側に夫々設けられ且つ前向きに開いた側面視略コの字型の圧入部７３とを備え、例えば合成樹脂材料により一体に形成されている。
【００３３】
圧入部７３は、その端部側が、係合面７４ａと案内面７４ｂとで略への字型に形成された圧入爪７４となっており、内側に向けて弾性変形可能となっている。前構造体４０を遊技盤１３の装着孔１３ａに前側から装着する際には、圧入固定手段４８は、案内面７４ｂを装着孔１３ａの上下面に摺接させることによって圧入爪７４を内側に向けて弾性変形させつつ装着孔１３ａを通過し、前飾り板５１が遊技盤１３の前面側に当接して位置決め突起５１ａが遊技盤１３側の位置決め孔１３ｂに嵌合した状態で、係合面７４ａが装着孔１３ａの後縁部に後側から圧着して前構造体４０を遊技盤１３に対して固定するようになっている。
【００３４】
なお、圧入固定手段４８は、図６に示すように、その圧入部７３が背面視で上下端側を内側に屈曲して形成されており、また固定部７２の裏面側、圧入部７３の圧入爪７４を除く部分、圧入爪７４の内側等に補強リブ７５，７６，７７が設けられている。
【００３５】
係止手段６７は、図９〜図１１等に示すように、裏構造体４１側の後述する被係止手段８０と共に、前構造体４０と裏構造体４１とを互いに固定する固定手段４３を構成するもので、嵌合突部８１と係止具８２とを備えている。
【００３６】
嵌合突部８１は、球案内ステージ５３の山部５５の後側若しくはその近傍、即ち発光表示枠６５の下側で左右方向中央部分に、支持板部６６の裏面側から後方に突出するように一体に設けられており、上下左右の側壁８３ａ，８３ｂ，８３ｃ，８３ｄにより横長の矩形枠状に形成されている。嵌合突部８１の背面側には、係止具取り付け板８４と係止具保持板８５とが設けられている。
【００３７】
係止具取り付け板８４は、上下の側壁８３ａ，８３ｂの後端側の左右方向中央部分を上下に接続するように一体に設けられている。係止具取り付け板８４の中心部には、係止具８２を回動自在に支持するための取り付け基部８６が一体に設けられている。
【００３８】
係止具保持板８５は、左右の側壁８３ｃ，８３ｄの後端側から互いに対向する方向に突出するように一体に設けられている。係止具保持板８５の先端側は円弧状に形成され、その先端側縁部に沿って囲いリブ８７が後向きに突設されており、その囲いリブ８７の内側が係止具８２を保持する保持部８８となっている。
【００３９】
なお、係止具取り付け板８４は、その背面側が係止具保持板８５の囲いリブ８７の後端側と略面一となるように、側壁８３ａ等の後端側よりも若干後方に偏位して設けられている。
【００４０】
係止具８２は、取り付けネジ８９により回動自在に支持される筒状部９０と、この筒状部９０に直角で且つ互いに反対方向に突出する一対のレバー部９１とを一体に備え、取り付けネジ８９を筒状部９０を介して係止具取り付け板８４の取り付け基部８６に水平前向きにねじ込むことにより嵌合突部８１に回動自在に取り付けられている。
【００４１】
レバー部９１の端部前側には、夫々突起部９２が一体に設けられており、係止具８２が嵌合突部８１に沿って水平になったとき（以下、着脱位置という）、それら突起部９２が囲いリブ８７を乗り越えて係止具保持板８５の保持部８８に係合し、係止具８２が着脱位置で保持されるようになっている。なお、係止具８２は、着脱位置において背面視で嵌合突部８１からはみ出さない大きさに形成されており、後述する裏構造体４１側の嵌合孔部１０７に嵌合させる際に嵌合孔部１０７と干渉しないようになっている。
【００４２】
裏構造体４１は、前構造体４０側の発光表示枠６５を裏側から覆うケース体１０１と、そのケース体１０１の左右両側に設けられた固定板部１０２と、ケース体１０１の下部側で左右方向中央に設けられた被係止手段８０とを備えている。
【００４３】
ケース体１０１は、前側が開口した矩形箱形で、その背面１０３には、発光表示枠６５に対応する表示窓１０４が開口状に形成されており、裏構造体４１を遊技盤１３の裏面側の所定位置に装着したとき、表示窓１０４が発光表示枠６５の後端側に嵌め合わされ、ケース体１０１の前縁側は遊技盤１３の裏面側或いは前構造体４０の支持板部６６の裏面側に当接するようになっている。また、ケース体１０１の背面１０３の前側には、複数のランプ６８が装着されたランプ基板１０５が着脱自在に装着されている。
【００４４】
また、ケース体１０１の背面１０３の裏面側には、図示しない係合爪やネジ等の装着手段によって液晶表示ユニット４２が着脱自在に装着されるようになっている。液晶表示ユニット４２は、ケース体１０１に装着されたとき、その前側の表示画面が表示窓１０４内に配置されるようになっている。
【００４５】
固定板部１０２は、ケース体１０１の左右両側の前縁側から外側に向けて鍔状に張り出すように一体形成されており、ネジ等の固定手段により遊技盤１３の裏面側に着脱自在に固定されるようになっている。
【００４６】
被係止手段８０は、ケース体１０１の下縁側の左右方向中央部分で前向きに凹入する台形状の凹入部１０６に設けられており、前構造体４０側の嵌合突部８１が嵌合する嵌合孔部１０７と、前構造体４０側の係止具８２が係止される係止受け部１０８とを備えている。
【００４７】
嵌合孔部１０７は、凹入部１０６の底壁１０８に前構造体４０側の嵌合突部８１に対応して設けられており、その嵌合孔部１０７の上下の底壁１０６ａにより係止受け部１０８が構成されている。嵌合孔部１０７は、底壁１０６ａの前面側から前向きに突設された周壁１０９によって取り囲まれている。底壁１０６ａは、その裏面側が、嵌合突部８１の係止具取り付け板８４の裏面側、及び係止具保持板８５の囲いリブ８７の後端側と略面一となるように設けられている。
【００４８】
係止受け部１０８、即ち嵌合孔部１０７の上下の底壁１０６ａには、前構造体４０側の係止具８２を垂直にしたとき（以下、固定位置という）に突起部９２が係合する係合孔１１０が夫々設けられており、それら係合孔１１０の左右両側には、係止具８２を回動させたときの突起部９２の移動軌跡に沿って案内溝１１１が設けられている。なお、案内溝１１１は、係合孔１１０との間に若干の隙間（凸状部１１２）を空けて形成されている。
【００４９】
なお、嵌合突部８１を嵌合孔部１０７に嵌合させたとき、係止具８２の後端側がケース体１０１の背面１０３よりも後側に突出しないように、嵌合突部８１の突出量、凹入部１０６の凹入深さ、係止具８２の軸方向高さ等が設定されており、ケース体１０１の裏面側に凹入部１０６を覆うように装着される液晶表示ユニット４２と係止具８２とが干渉しないようになっている。
【００５０】
以上のような構成を有する液晶式表示手段２３を遊技盤１３に装着する際には、まず前構造体４０を遊技盤１３の装着孔１３ａに前側から装着する。これにより、前構造体４０は、その左右両端部側において、前飾り板５１と圧入固定手段４８とで遊技盤１３を前後から挟み込んだ状態で固定される。このとき、位置決め突起５１ａが遊技盤１３側の位置決め孔１３ｂに嵌合し、前構造体４０は遊技盤１３の前面側所定位置に位置決めされる。
【００５１】
続いて、図１２に示すように、裏構造体４１を遊技盤１３の裏面側に装着する。即ち、前構造体４０側の係止具８２を着脱位置に合わせておき、嵌合孔部１０７を嵌合突部８１に嵌合させ、表示窓１０４を発光表示枠６５の後端側に嵌め合わせた状態で、ネジ等により固定板部１０２を遊技盤１３の裏面側に固定する（図１２（ａ），（ｂ））。このとき、係止具８２の突起部９２が係止具保持板８５の保持部８８に係合して係止具８２が着脱位置に保持されるため、係止具８２がふらつくことがなく、裏構造体４１の装着作業が容易である。
【００５２】
前構造体４０と裏構造体４１とが共に遊技盤１３に装着されると、続いて係止具８２を任意の方向に９０度回転させ、固定位置に合わせる（図１２（ｃ））。このとき、係止具８２の突起部９２は、係止具保持板８５の囲いリブ８７を乗り越えて保持部８８から外れた後、係止受け部１０８の案内溝１１１上を移動し、更に凸状部１１２を乗り越えて係合孔１１０に係合する。
【００５３】
これにより、係止具８２が係止受け部１０８に係止され、前構造体４０と裏構造体４１とが下部の左右方向中央位置にて前後方向に固定されるため、前構造体４０の下部の左右方向中央部分が前側に変形して前飾り板５１や球案内ステージ５３等が遊技盤１３から浮き上がることがなく、遊技球の落下経路に悪影響を及ぼす不具合を防止できる。
【００５４】
固定手段４３は、前構造体４０側に設けられる係止具８２と、裏構造体４１側に設けられる係止受け部１０８とを備え、係止具８２を係止受け部１０８に係止することにより前構造体４０と裏構造体４１とを固定するようになっているため、固定構造を簡略化できる。
【００５５】
係止具８２は回動自在に設けられ、係止具８２を回動させて係止受け部１０８に係止するようにしているため、係止動作が容易であると共に確実に係止できる。
【００５６】
前構造体４０側に設けられ且つ遊技盤１３の裏面側に突出する嵌合突部８１と、裏構造体４１側に設けられ且つ嵌合突部８１が前側から嵌合可能な嵌合孔部１０７とを備え、嵌合突部８１に係止具８２を、嵌合孔部１０７の周辺に係止受け部１０８を夫々設け、嵌合突部８１を嵌合孔部１０７に嵌合させた状態で係止具８２を係止受け部１０８に係止するようにしているため、前構造体４０と裏構造体４１との相対的な位置決めも同時に行うことができる。
【００５７】
図１３及び図１４は本発明の第２の実施形態を例示し、前構造体４０側の係止具１２１を圧入により裏構造体４１側の係止受け部１２２に係止するようにした例を示している。なお、係止具１２１と係止受け部１２２とで固定手段４３の一例を構成している。
【００５８】
前構造体４０側の嵌合突部８１の背面側には取り付け基部１２３が一体に形成されており、その取り付け基部１２３の裏側に係止具１２１が固定されている。係止具１２１は、左右方向に長い板状に形成され且つネジ１２４等により取り付け基部１２３に固定される固定部１２５と、この固定部１２５の左右両端側に夫々設けられ且つ前向きに開いた平面視略Ｕ字型の圧入部１２６とを備え、例えば合成樹脂材料により一体に形成されている。
【００５９】
圧入部１２６は、その端部側が、係合面１２７ａと案内面１２７ｂとで略への字型に形成された圧入爪１２７となっており、内側に向けて弾性変形可能となっている。圧入爪１２７は、その左右方向外側が嵌合突部８１の左右の側壁８３ｃ，８３ｄよりも左右に突出するように設けられ、係合面１２７ａが裏構造体４１の嵌合孔部１０７の左右の後縁部、即ち係止受け部１２２に後側から係合するようになっている。
【００６０】
前構造体４０を遊技盤１３の前側に装着した後、裏構造体４１を遊技盤１３の裏側に装着する際には、前構造体４０側の嵌合突部８１に裏構造体４１側の嵌合孔部１０７を後側から嵌合させる。このとき、係止具１２１は、嵌合孔部１０７の左右内面に案内面１２７ｂを摺接させつつ圧入される。そして、裏構造体４１の固定板部１０２が遊技盤１３の裏面側に当接したとき、係合面１２７ａが嵌合孔部１０７の左右の係止受け部１２２に後側から係合圧着して前構造体４０と裏構造体４１とが前後に固定される。
【００６１】
前構造体４０と裏構造体４１との固定を解除する際には、係止具１２１の左右の圧入爪１２７を互いに左右方向内側に圧縮して係合面１２７ａの係止受け部１２２への係合を解いた状態で裏構造体４１側の嵌合孔部１０７を前構造体４０側の嵌合突部８１から後方に抜き取ればよい。
【００６２】
以上のように、前構造体４０側の係止具１２１を圧入により裏構造体４１側の係止受け部１２２に係止するようにしても、第１の実施形態と同様、前構造体４０の下部の左右方向中央部分が前側に変形して前飾り板５１や球案内ステージ５３等が遊技盤１３から浮き上がることがなく、遊技球の落下経路に悪影響を及ぼす不具合を防止できる。
【００６３】
以上、本発明の各実施形態について詳述したが、本発明はこれら各実施形態に限定されるものではなく、本発明の趣旨を逸脱しない範囲内で種々の変更が可能である。例えば、係止具８２，１２１を裏構造体４１側に、係止受け部１０８，１２２を前構造体４０側に夫々設けてもよい。
【００６４】
回動させることによって係止受け部１０８に係止する係止具８２と、圧入によって係止受け部１２２に係止する係止具１２１とを併用した構成とすることも可能である。
【００６５】
なお、固定手段４３は、前構造体４０と裏構造体４１とを少なくとも前後方向に固定できるものであればよく、上述した構成に限られるものではない。例えば、前構造体４０側の係止具に係合爪を設け、裏構造体４１側の係止受け部側に係合爪を単に係合させるようにしたものなどでもよい。
【００６６】
固定手段４３は、前構造体４０側の圧入固定手段４８の配置位置に応じて適当な位置に配置すればよい。例えば、圧入固定手段４８が前構造体の上下端部近傍に設けられている場合には、固定手段４３を上下方向中央部分近傍に設ければよい。
【００６７】
液晶式表示手段２３の左右両側に入口５４を設け、左右両側から球案内ステージ５３に遊技球を案内するようにしてもよい。また、液晶式表示手段２３は必ずしも球案内ステージ５４を備えたものである必要はない。
【００６８】
実施形態では、前構造体４０と裏構造体４１と固定手段４３とを備えた構成を液晶式表示手段２３に適用した例を示したが、これ以外の遊技部品、例えば、ドラム式表示手段や大型の入賞手段等に上記構成を適用することも可能である。
【００６９】
更に、実施形態ではパチンコ機を例に挙げて説明したが、アレンジボール機、雀球遊技機等のその他の弾球遊技機であっても同様に実施可能であることは言うまでもない。
【図面の簡単な説明】
【００７０】
【図１】本発明の第１の実施形態を示すパチンコ機の正面図である。
【図２】本発明の第１の実施形態を示すパチンコ機の遊技盤の正面図である。
【図３】本発明の第１の実施形態を示すパチンコ機の遊技盤の正面拡大図である。
【図４】本発明の第１の実施形態を示す液晶式表示手段の裏面図である。
【図５】本発明の第１の実施形態を示す液晶式表示手段の縦断面図である。
【図６】本発明の第１の実施形態を示す液晶式表示手段の前構造体の遊技盤装着状態での裏面図である。
【図７】本発明の第１の実施形態を示す液晶式表示手段の裏構造体の裏面図である。
【図８】本発明の第１の実施形態を示す液晶式表示手段の前構造体の装着状態を示す縦断面図である。
【図９】本発明の第１の実施形態を示す固定手段の裏面図である。
【図１０】本発明の第１の実施形態を示す固定手段の前後分離状態での横断面図である。
【図１１】本発明の第１の実施形態を示す固定手段の前後分離状態での縦断面図である。
【図１２】本発明の第１の実施形態を示す固定手段による固定手順の説明図である。
【図１３】本発明の第２の実施形態を示す固定手段の裏面図である。
【図１４】本発明の第２の実施形態を示す固定手段の横断面図である。
【符号の説明】
【００７１】
１３    遊技盤
１３ａ  装着孔
４０    前構造体
４１    裏構造体
４３    固定手段
５３    球案内ステージ（遊技球案内手段）
６５    発光表示枠（発光表示部）
６８    ランプ（発光手段）
８１    嵌合突部
８２    係止具
１０７    嵌合孔部
１０８    係止受け部
１２１    係止具
１２２    係止受け部
【図１】
2006297154.tif 000003
【図２】
2006297154.tif 000004
【図３】
2006297154.tif 000005
【図４】
2006297154.tif 000006
【図５】
2006297154.tif 000007
【図６】
2006297154.tif 000008
【図７】
2006297154.tif 000009
【図８】
2006297154.tif 000010
【図９】
2006297154.tif 000011
【図１０】
2006297154.tif 000012
【図１１】
2006297154.tif 000013
【図１２】
2006297154.tif 000014
【図１３】
2006297154.tif 000015
【図１４】
2006297154.tif 000016